(57)【要約】      （修正有）【課題】掘削攪拌ヘッドを取り外すことなく攪拌羽根に簡単に装着でき、粘度が高い場合でも効率よく試料土を採取できる試料採取装置を提供する。【解決手段】中空の角形管の前部を開閉蓋が開きやすい角度βにカットしたボックス３に、前部を角度αに曲げ側面に止板２を固着した開閉蓋１を枢着し、ボックスの側面に軸着したストッパー４で開閉蓋の開閉幅の制限を行い、ボックスの後部には挿脱可能な後部板５を設ける。ボックス内に収納された試料土を容易に取り出すことができる。また、本装置下部に２枚の平列に並べた固定レール９の間を攪拌羽根１３の羽根幅に合わせ２個の固定爪１１をスライドさせ、内側にカーブした内爪部で攪拌羽根の両側面下角をキャッチし、固定ボルト１０を締め付けることにより確実に挟持する。【選択図】図３
0003210122.tif 000002
【実用新案登録請求の範囲】
【請求項１】
中空の角形管の前部を角度βにカットしたボックスに前部が角度αに曲げ側面に止板を固着した開閉蓋を枢着し、ボックスの側面に軸着したストッパーで開閉蓋の開閉の制限を行うことができることを特徴とする試料土採取装置。
【請求項２】
ボックスの後部に挿脱可能な後部板を設けボックス内に収納された試料土を容易に取り出しできることを特徴とする請求項１記載の試料土採取装置。
【請求項３】
ボックス下部に２枚の平列に並べた固定レールの間を攪拌羽根の羽根幅に合わせ２個の固定爪をスライドさせ、内側にカーブした内爪部で攪拌羽根の両側面下角をキャッチし、固定ボルトを締め付けることにより確実に挟持できることを特徴とする請求項１又は２記載の試料土採取装置。
【考案の詳細な説明】
【技術分野】
【０００１】
本考案は、深層地盤改良において、固化材液と土とを混合攪拌した改良土の固化強度確認及び混合攪拌効果を調べるため掘削攪拌ヘッドの攪拌羽根に装着し、打設直後に未固化の改良土を迅速に採取できる試料土採取装置に関するものである。
【背景技術】
【０００２】
土とセメント系固化材液と土を攪拌混合して柱状改良体を構築する地盤改良工法において、施工された柱状改良体の品質確認のため深層部の試料土を採取しなければならない、従来においては、地盤改良の打設直後に塩化ビニールパイプ等を改良地盤に所定の深度まで挿入し、改良土が完全に硬化する前に引き抜き採取していた。また、攪拌ヘッドを取りはずし、同じジョイントで作成された試料土採取装置を取り付けて採取する方法もある。その他、改良土が完全に硬化した後、コアボーリングにより採取する方法がある。
【０００３】
しかし上記の塩化ビニールパイプによる方法では、早く引き抜けばパイプ内の試料は抜け落ちてしまい、遅ければパイプ自体が抜けなくなるなど問題は大きい、また攪拌ヘッドと付け替える方法では、取替作業が困難な上に時間もかかり重機が必要となる、コアボーリングによる採取は専門業者に依頼するため高額な費用と時間が問題となる。
【先行技術文献】
【特許文献】
【０００４】
【特許文献１】特開２０１３−２３７９９４
【非特許文献】
【０００５】
【非特許文献１】実開平０３−０５４８９１
【考案の概要】
【考案が解決しようとする課題】
【０００６】
従来の掘削攪拌ヘッドと試料土採取装置の交換方式では取り付け取り外しが困難であり混合土の粘度が高い場合は軸芯部分が回転するだけのため、取り入れ効率が悪く試料土を採取しにくい難点がある。
【０００７】
本考案は困難な掘削攪拌ヘッドの取り外しを行うことなく、簡単に脱着可能で効率よく試料土を採取できる試料土の採取装置を提供することを目的としている。
【課題を解決するための手段】
【０００８】
中空の角形管の前部を斜めにカットしたボックスに開閉蓋を枢着し、固定レールと固定爪で攪拌羽根に狭持する。この開閉蓋の前部は一定の角度で折り曲げてあり掘削攪拌ヘッドが回動することにより、混合土の抵抗力で押し開けられ試料土の採取を可能にする。
【考案の効果】
【０００９】
本考案の試料土採取装置は掘削攪拌ヘッドを取り外すことなく、攪拌羽根に固定ボルトを締め付けるだけで装着でき、改良柱体の任意の位置での試料土を採取できる。
【図面の簡単な説明】
【００１０】
【図１】本考案の試料土採取装置の斜視図である。
【図２】図１の試料土採取装置の側面図である。
【図３】図１の試料土採取装置を攪拌羽根に装着し開状態の側面図である。
【図４】図１の試料土採取装置の上面図である。
【図５】図１の試料土採取装置の固定爪と固定レールの分解関係図である。
【図６】掘削攪拌ヘッドの斜視図である。
【図７】掘削攪拌ヘッドに図１の試料土採取装置を装着した斜視図である。
【図８】従来の試料土採取装置である。
【考案を実施するための形態】
【００１１】
中空の角形管の前部を開閉蓋１が開きやすい角度βにカットしたボックス３に前部を角度αに曲げた開閉蓋１を枢着し、開閉蓋１の側面に止板２を固着する、ボックス３の側面に止板２とストッパー４の上部が合致する位置にストパー４を軸着し、ストパー４の下端付近に逆転防止ピン１５を螺着し、ボックス３の後部にガイド６を設け後部板５を挿脱可能にしてある。
【００１２】
ボックス３は底板７と固着してあり、底板７と固定ボルト１０を螺合させたボルト台８、固定レール９の順に重ねて固定し、底板７と2枚の固定レール９の間に固定爪１１を挟み込む、以上の構成で攪拌羽根１３に取り付け可能な試料土採取装置を実現した。
【実施例】
【００１３】
図１は本考案の試料土採取装置の斜視図である、上部は試料土採取を採取収納部で開閉蓋１が開きボックス３に試料土を収納し、収納した試料土は後部板５をD方向に抜き取り、双方向に取り出すことができる仕組みである。下部は図６の掘削攪拌ヘッド１２の攪拌羽根１３に左右の固定爪１１で挟み、固定ボルト１０を締め込むことにより図７に示す如く確実に装着することが出来る。
【００１４】
図２は本装置の開閉蓋１が閉まった状態の側面図である、ボックス３の前部は開閉蓋１がA方向に移動した場合に開きやすい角度βにカットしてある。図３は開閉蓋１が開状態の側面図である。本装置を図７に示すように攪拌羽根１３に取り付け採取しようとする深さまで右回転で挿入し、採取深度に到達後、逆回転させることにより本装置はA方向に移動することになる、開閉蓋１の前部は角度αに曲げてあるため改良土の抵抗力でBからCに押し開かれる、同時に止板２はストッパー４の上部にぶつかり、必要以上に開き過ぎないように抑止され、改良土はボックス３の内部に強制的に押し込まれる。
【００１５】
図４は本装置の上面図である、後部板５はガイド６により前後左右に外れないようになっているが図１〜３で示す上方向Dには抜き外すことができる。ボックス３内部に収納された試料土はストパー４を回転させ開閉蓋１を全開にして、後部板５を抜き取ることにより双方向から容易に取り出す事ができる。
【００１６】
図３は本装置を攪拌羽根１３に装着した側面図であるが、一般の攪拌羽根には様々なサイズで補強リブ14を溶接補強してある場合が多く、上下からの狭持は困難である。そのため固定爪１１は攪拌羽根１３の板厚及び板幅が違う場合でも対応出来るように、図５のｂで示すように２枚の固定レール９の間をスライドさせて板幅に合わせ、内側にカーブした内爪部で攪拌羽根１３の両側面下角をキャッチし、固定ボルト１０を締め付けることにより確実に挟持することが出来る形状となっている。
【産業上の利用可能性】
【００１７】
本装置はサイズも小さく軽量であり、足下の悪い現場内でも手軽に持ち運べ、固定ボルトを締め付けるだけで簡単に攪拌羽根に装着でき効率よく試料土を採取できる。
【符号の説明】
【００１８】
１    開閉蓋
２    止板
３    ボックス
４    ストッパー
５    後部板
６    ガイド
７    底板
８    ボルト台
９    固定レール
１０  固定ボルト
１１  固定爪
１２  掘削攪拌ヘッド
１３  攪拌羽根
１４  補強リブ
１５  逆転防止ピン
【図１】
0003210122.tif 000003
【図２】
0003210122.tif 000004
【図３】
0003210122.tif 000005
【図４】
0003210122.tif 000006
【図５】
0003210122.tif 000007
【図６】
0003210122.tif 000008
【図７】
0003210122.tif 000009
【図８】
0003210122.tif 000010